(57)【要約】      （修正有）【課題】設定作業に問題があることを効率的に特定する。【解決手段】警告出力装置１は、交換局側設備との接続切替が行われた基地局の、接続切替前の単位時間におけるトラヒック量を示す第１トラヒック量を特定するとともに、当該基地局の接続切替後の接続先となる交換局側設備である接続先設備の、接続切替前の単位時間におけるトラヒック量を示す第２トラヒック量を特定する特定部１２１と、特定された第１トラヒック量及び第２トラヒック量に基づいて、接続先設備における接続切替後の単位時間におけるトラヒック量を予測する予測部１２２と、接続先設備の接続切替後の単位時間におけるトラヒック量を測定する測定部１２３と、予測された接続切替後のトラヒック量と、測定された接続切替後のトラヒック量との差が第１の量以上である場合に、接続切替に係る作業が正常に行われていないことを示す警告情報を出力する出力部１２４と、を備える。【選択図】図２
2019145898.tif 000002
【特許請求の範囲】
【請求項１】
交換局側の設備との接続切替が行われた基地局の、接続切替前の単位時間におけるトラヒック量を示す第１トラヒック量を特定するとともに、前記基地局の接続切替後の接続先となる前記交換局側の設備である接続先設備の、前記接続切替前の前記単位時間におけるトラヒック量を示す第２トラヒック量を特定する特定部と、
前記特定部が特定した前記第１トラヒック量及び前記第２トラヒック量に基づいて、前記接続先設備における前記接続切替後の前記単位時間におけるトラヒック量を予測する予測部と、
前記接続先設備の前記接続切替後の前記単位時間におけるトラヒック量を測定する測定部と、
前記予測部が予測した前記接続切替後のトラヒック量と、前記測定部が測定した前記接続切替後のトラヒック量との差が第１の量以上である場合に、前記接続切替に係る作業が正常に行われていないことを示す警告情報を出力する出力部と、
を備える警告出力装置。
【請求項２】
前記特定部は、前記接続切替前の所定時間帯の前記第１トラヒック量及び前記第２トラヒック量を特定し、
前記予測部は、前記接続先設備の前記接続切替後の前記所定時間帯におけるトラヒック量を予測し、
前記測定部は、前記接続先設備の前記接続切替後の前記所定時間帯におけるトラヒック量を測定し、
前記出力部は、前記予測部が予測した前記接続切替後の前記所定時間帯のトラヒック量と、前記測定部が測定した前記接続切替後の前記所定時間帯のトラヒック量との差が前記第１の量以上である場合に、前記警告情報を出力する、
請求項１に記載の警告出力装置。
【請求項３】
前記特定部は、前記基地局の接続切替前の接続先となる前記交換局側の設備である切替前設備の、前記接続切替前の前記単位時間におけるトラヒック量を示す第３トラヒック量を特定し、
前記予測部は、前記特定部が特定した前記第１トラヒック量及び前記第３トラヒック量に基づいて、前記切替前設備の前記接続切替後の前記単位時間におけるトラヒック量を予測し、
前記測定部は、前記切替前設備の前記接続切替後の前記単位時間におけるトラヒック量を測定し、
前記出力部は、前記予測部が予測した前記切替前設備における前記接続切替後のトラヒック量と、前記測定部が測定した前記切替前設備における前記接続切替後のトラヒック量との差が第３の量以上である場合に、前記警告情報を出力する、
請求項１又は２に記載の警告出力装置。
【請求項４】
前記出力部は、前記接続切替が完了してから所定時間を経過する前に前記測定部が測定したトラヒック量が第２の量以下の場合に前記警告情報を出力する、
請求項１から３のいずれか１項に記載の警告出力装置。
【請求項５】
前記出力部は、前記接続切替が完了してから所定時間を経過する前に前記測定部が測定したトラヒック量が、前記予測部が予測した前記接続切替後の前記接続先設備のトラヒック量から前記第１の量を減算したトラヒック量よりも少ない前記第２の量以下の場合に前記警告情報を出力する、
請求項４に記載の警告出力装置。
【請求項６】
前記出力部は、前記接続切替が完了してから所定時間を経過する前に前記測定部が測定したトラヒック量が、前記予測部が予測した前記接続切替後の前記切替前設備のトラヒック量から前記第３の量を減算したトラヒック量よりも少ない前記第２の量以下の場合に前記警告情報を出力する、
請求項３に記載の警告出力装置。
【請求項７】
前記出力部は、前記接続切替が完了してから前記所定時間を経過した後に、前記予測部が予測した前記接続切替後のトラヒック量と、前記測定部が測定した前記接続切替後のトラヒック量との差が第１の量以上である場合に、前記警告情報を出力する、
請求項４から６のいずれか１項に記載の警告出力装置。
【請求項８】
前記予測部は、前記特定部が特定した前記第１トラヒック量及び前記第２トラヒック量と、前記基地局の周辺の施設の運営状況とに基づいて、前記接続先設備における前記接続切替後のトラヒック量を予測する、
請求項１から７のいずれか１項に記載の警告出力装置。
【請求項９】
前記予測部は、前記特定部が特定した前記第１トラヒック量及び前記第２トラヒック量と、トラヒック量の予測期間に対応する曜日とに基づいて、前記接続先設備における前記接続切替後のトラヒック量を予測する、
請求項１から８のいずれか１項に記載の警告出力装置。
【請求項１０】
前記予測部は、前記特定部が特定した前記第１トラヒック量及び前記第２トラヒック量と、暦上の休日及び祝日とトラヒック量の予測期間との関係とに基づいて、前記接続先設備における前記接続切替後のトラヒック量を予測する、
請求項１から９のいずれか１項に記載の警告出力装置。
【請求項１１】
前記予測部は、前記特定部が特定した前記第１トラヒック量及び前記第２トラヒック量と、トラヒック量の変動要因となる所定イベントの発生日とトラヒック量の予測期間との関係とに基づいて、前記接続先設備における前記接続切替後のトラヒック量を予測する、
請求項１から１０のいずれか１項に記載の警告出力装置。
【請求項１２】
交換局側の設備との接続切替に係る作業が行われた基地局の、接続切替前の単位時間におけるトラヒック量を特定する特定部と、
前記基地局の、接続切替後の前記単位時間におけるトラヒック量を測定する測定部と、
前記特定部が特定した前記基地局の前記接続切替前のトラヒック量と、前記測定部が測定した前記基地局の前記接続切替後のトラヒック量との差が所定量以上である場合に、前記接続切替に係る作業が正常に行われていないことを示す警告情報を出力する出力部と、
を備える警告出力装置。
【請求項１３】
コンピュータが実行する、
交換局側の設備との接続切替が行われた基地局の、接続切替前の単位時間におけるトラヒック量を示す第１トラヒック量を特定するとともに、前記基地局の接続切替後の接続先となる前記交換局側の設備である接続先設備の、前記接続切替前の前記単位時間におけるトラヒック量を示す第２トラヒック量を特定するステップと、
特定された前記第１トラヒック量及び前記第２トラヒック量に基づいて、前記接続先設備における前記接続切替後の前記単位時間におけるトラヒック量を予測するステップと、
前記接続先設備の前記接続切替後の前記単位時間におけるトラヒック量を測定するステップと、
予測された前記接続切替後のトラヒック量と、測定された前記接続切替後のトラヒック量との差が第１の量以上である場合に、前記接続切替に係る作業が正常に行われていないことを示す警告情報を出力するステップと、
を備える警告出力方法。
【発明の詳細な説明】
【技術分野】
【０００１】
本発明は、基地局と交換局側の設備との接続切替に係る作業が正常に行われていない場合に警告を出力する警告出力装置及び警告出力方法に関する。
【背景技術】
【０００２】
従来、基地局の接続先を切り替えたり増設したりした場合に、基地局と、接続先の交換局側の設備とに問題が発生していないか否かを確認する作業が行われている（例えば、特許文献１参照）。
【先行技術文献】
【特許文献】
【０００３】
【特許文献１】特開２００６−６０３０５号公報
【発明の概要】
【発明が解決しようとする課題】
【０００４】
基地局の接続先の切替作業を行う場合、基地局と、接続先の交換局側の設備とで、多くの設定作業を行う必要があり、これらの設定作業が正しく行われているか確認するのに多大な時間を要する。また、切替作業を行った後に、基地局と交換局側の設備との間で通信が行われていても、設定が適切に行われていない等により、本来の通信速度を発揮できない場合がある。そこで、基地局の接続先の切替作業を行った後に、設定作業に問題があることを効率的に特定できるようにすることが求められている。
【０００５】
そこで、本発明はこれらの点に鑑みてなされたものであり、設定作業に問題があることを効率的に特定可能にする警告出力装置及び警告出力方法を提供することを目的とする。
【課題を解決するための手段】
【０００６】
本発明の第１の態様に係る警告出力装置は、交換局側の設備との接続切替が行われた基地局の、接続切替前の単位時間におけるトラヒック量を示す第１トラヒック量を特定するとともに、前記基地局の接続切替後の接続先となる前記交換局側の設備である接続先設備の、前記接続切替前の前記単位時間におけるトラヒック量を示す第２トラヒック量を特定する特定部と、前記特定部が特定した前記第１トラヒック量及び前記第２トラヒック量に基づいて、前記接続先設備における前記接続切替後の前記単位時間におけるトラヒック量を予測する予測部と、前記接続先設備の前記接続切替後の前記単位時間におけるトラヒック量を測定する測定部と、前記予測部が予測した前記接続切替後のトラヒック量と、前記測定部が測定した前記接続切替後のトラヒック量との差が第１の量以上である場合に、前記接続切替に係る作業が正常に行われていないことを示す警告情報を出力する出力部と、を備える。
【０００７】
前記特定部は、前記接続切替前の所定時間帯の前記第１トラヒック量及び前記第２トラヒック量を特定し、前記予測部は、前記接続先設備の前記接続切替後の前記所定時間帯におけるトラヒック量を予測し、前記測定部は、前記接続先設備の前記接続切替後の前記所定時間帯におけるトラヒック量を測定し、前記出力部は、前記予測部が予測した前記接続切替後の前記所定時間帯のトラヒック量と、前記測定部が測定した前記接続切替後の前記所定時間帯のトラヒック量との差が前記第１の量以上である場合に、前記警告情報を出力してもよい。
【０００８】
前記特定部は、前記基地局の接続切替前の接続先となる前記交換局側の設備である切替前設備の、前記接続切替前の前記単位時間におけるトラヒック量を示す第３トラヒック量を特定し、前記予測部は、前記特定部が特定した前記第１トラヒック量及び前記第３トラヒック量に基づいて、前記切替前設備の前記接続切替後の前記単位時間におけるトラヒック量を予測し、前記測定部は、前記切替前設備の前記接続切替後の前記単位時間におけるトラヒック量を測定し、前記出力部は、前記予測部が予測した前記切替前設備における前記接続切替後のトラヒック量と、前記測定部が測定した前記切替前設備における前記接続切替後のトラヒック量との差が第３の量以上である場合に、前記警告情報を出力してもよい。
【０００９】
前記出力部は、前記接続切替が完了してから所定時間を経過する前に前記測定部が測定したトラヒック量が第２の量以下の場合に前記警告情報を出力してもよい。
前記出力部は、前記接続切替が完了してから所定時間を経過する前に前記測定部が測定したトラヒック量が、前記予測部が予測した前記接続切替後の前記接続先設備のトラヒック量から前記第１の量を減算したトラヒック量よりも少ない前記第２の量以下の場合に前記警告情報を出力してもよい。
【００１０】
前記出力部は、前記接続切替が完了してから所定時間を経過する前に前記測定部が測定したトラヒック量が、前記予測部が予測した前記接続切替後の前記切替前設備のトラヒック量から前記第３の量を減算したトラヒック量よりも少ない前記第２の量以下の場合に前記警告情報を出力してもよい。
【００１１】
前記出力部は、前記接続切替が完了してから前記所定時間を経過した後に、前記予測部が予測した前記接続切替後のトラヒック量と、前記測定部が測定した前記接続切替後のトラヒック量との差が第１の量以上である場合に、前記警告情報を出力もよい。
【００１２】
前記予測部は、前記特定部が特定した前記第１トラヒック量及び前記第２トラヒック量と、前記基地局の周辺の施設の運営状況とに基づいて、前記接続先設備における前記接続切替後のトラヒック量を予測してもよい。
【００１３】
前記予測部は、前記特定部が特定した前記第１トラヒック量及び前記第２トラヒック量と、トラヒック量の予測期間に対応する曜日とに基づいて、前記接続先設備における前記接続切替後のトラヒック量を予測してもよい。
【００１４】
前記予測部は、前記特定部が特定した前記第１トラヒック量及び前記第２トラヒック量と、暦上の休日及び祝日とトラヒック量の予測期間との関係とに基づいて、前記接続先設備における前記接続切替後のトラヒック量を予測してもよい。
【００１５】
前記予測部は、前記特定部が特定した前記第１トラヒック量及び前記第２トラヒック量と、トラヒック量の変動要因となる所定イベントの発生日とトラヒック量の予測期間との関係とに基づいて、前記接続先設備における前記接続切替後のトラヒック量を予測してもよい。
【００１６】
本発明の第２の態様に係る警告出力装置は、交換局側の設備との接続切替に係る作業が行われた基地局の、接続切替前の単位時間におけるトラヒック量を特定する特定部と、前記基地局の、接続切替後の前記単位時間におけるトラヒック量を測定する測定部と、前記特定部が特定した前記基地局の前記接続切替前のトラヒック量と、前記測定部が測定した前記基地局の前記接続切替後のトラヒック量との差が所定量以上である場合に、前記接続切替に係る作業が正常に行われていないことを示す警告情報を出力する出力部と、を備える。
【００１７】
本発明の第３の態様に係る警告出力方法は、コンピュータが実行する、交換局側の設備との接続切替が行われた基地局の、接続切替前の単位時間におけるトラヒック量を示す第１トラヒック量を特定するとともに、前記基地局の接続切替後の接続先となる前記交換局側の設備である接続先設備の、前記接続切替前の前記単位時間におけるトラヒック量を示す第２トラヒック量を特定するステップと、特定された前記第１トラヒック量及び前記第２トラヒック量に基づいて、前記接続先設備における前記接続切替後の前記単位時間におけるトラヒック量を予測するステップと、前記接続先設備の前記接続切替後の前記単位時間におけるトラヒック量を測定するステップと、予測された前記接続切替後のトラヒック量と、測定された前記接続切替後のトラヒック量との差が第１の量以上である場合に、前記接続切替に係る作業が正常に行われていないことを示す警告情報を出力するステップと、を備える。
【発明の効果】
【００１８】
本発明によれば、設定作業に問題があることを効率的に特定することができるという効果を奏する。
【図面の簡単な説明】
【００１９】
【図１】第１実施形態に係る警告出力装置の概要を示す図である。
【図２】第１実施形態に係る警告出力装置の構成を示す図である。
【図３】第１本施形態に係る警告出力装置における処理の流れを示すフローチャートである。
【図４】第２実施形態に係る警告出力装置の構成を示す図である。
【発明を実施するための形態】
【００２０】
＜第１実施形態＞
［警告出力装置１の概要］
図１は、第１実施形態に係る警告出力装置１の概要を説明する図である。警告出力装置１は、一以上の基地局３との通信を行う交換局側の通信設備としての複数の交換局側設備２と通信可能に接続されている。ここで、交換局側設備２は、例えば、基地局３から受信したデータの流れを制御するトラヒック制御装置である。基地局３は、ＬＴＥ（Long Term Evolution）や３ＧＰＰ（Third Generation Partnership Project）等の携帯電話網の基地局であり、複数の交換局側設備２のいずれかに接続されている。
【００２１】
図１に示す例では、交換局側設備２Ａは、基地局３Ａ及び基地局３Ｂと接続されており、交換局側設備２Ｂは、基地局３Ｃ及び基地局３Ｄと接続されている。警告出力装置１は、交換局側設備２Ａ及び交換局側設備２Ｂと接続されている。
【００２２】
基地局３は、交換局側設備２における通信状況等により、現在接続されている交換局側設備２とは異なる交換局側設備２に接続が切り替えられることがある。図１では、基地局３Ｂの接続先が、交換局側設備２Ａから、交換局側設備２Ｂに切り替えられる例を示している。以下の説明において、接続が切り替えられる基地局３を切替対象の基地局３ともいう。
【００２３】
基地局３の切替作業を行う場合、基地局３と、接続先の交換局側設備２とで、多くの設定作業を行う必要がある。従来、これらの設定作業が正しく行われているか確認するのに多大な時間を要していた。また、接続先の切替作業を行った後に、基地局３と交換局側設備２との間で通信が行われていても、設定が適切に行われていない等により、本来の通信速度を発揮できない場合がある。
【００２４】
これに対して、本実施形態に係る警告出力装置１は、切替対象の基地局３の、接続切替前の単位時間におけるトラヒック量を特定するとともに、当該基地局３の接続切替後の接続先となる交換局側設備２の、接続切替前の単位時間におけるトラヒック量を特定する。
【００２５】
警告出力装置１は、特定したトラヒック量に基づいて、切替対象の基地局３の接続切替後の接続先となる交換局側設備２における、接続切替後のトラヒック量を予測する。そして、警告出力装置１は、予測したトラヒック量と、当該交換局側設備２の実際のトラヒック量とに基づいて、接続切替に係る作業が正常に行われていないと判定すると、接続切替に係る作業が正常に行われていないことを示す警告情報を出力する。このようにすることで、警告出力装置１は、設定作業に問題があることを効率的に特定することができる。
【００２６】
［警告出力装置１の構成例］
続いて、警告出力装置１の構成について説明する。図２は、第１実施形態に係る警告出力装置１の構成を示す図である。
警告出力装置１は、記憶部１１と、制御部１２とを備える。
【００２７】
記憶部１１は、例えば、ＲＯＭ（Read Only Memory）及びＲＡＭ（Random Access Memory）等である。記憶部１１は、警告出力装置１を機能させるための各種プログラムを記憶する。例えば、記憶部１１は、警告出力装置１の制御部１２を、後述する特定部１２１、予測部１２２、測定部１２３及び出力部１２４として機能させる警告出力プログラムを記憶する。
【００２８】
制御部１２は、例えばＣＰＵ（Central Processing Unit）である。制御部１２は、記憶部１１に記憶されている各種プログラムを実行することにより、警告出力装置１に係る機能を制御する。制御部１２は、警告出力プログラムを実行することにより、特定部１２１、予測部１２２、測定部１２３及び出力部１２４として機能する。
【００２９】
［接続切替前のトラヒック量の特定］
特定部１２１は、切替対象の基地局３の接続切替前のトラヒック量を特定する。具体的には、特定部１２１は、交換局側設備２との接続切替が行われた基地局３の、接続切替前の単位時間におけるトラヒック量を示す第１トラヒック量を特定するとともに、当該基地局３の接続切替後の接続先となる交換局側設備２である接続先設備の、接続切替前の単位時間におけるトラヒック量を示す第２トラヒック量を特定する。また、特定部１２１は、接続切替前の接続先となる交換局側設備２の、接続切替前の単位時間におけるトラヒック量を示す第３トラヒック量を特定する。
【００３０】
図１に示す例では、切替対象の基地局３は、基地局３Ｂである。また、基地局３Ｂの接続切替前の接続先は、交換局側設備２Ａであり、接続切替後の接続先は、交換局側設備２Ｂである。
【００３１】
特定部１２１は、基地局３Ｂの接続切替前の接続先である交換局側設備２Ａから、交換局側設備２Ａと、基地局３Ａ及び基地局３Ｂとのトラヒック量を示すトラヒック履歴情報を取得する。ここで、トラヒック履歴情報には、基地局３を識別する基地局ＩＤと、各日時のそれぞれにおける複数の基地局３のそれぞれとのトラヒック量を示す情報とが含まれている。
【００３２】
特定部１２１は、交換局側設備２Ａから取得したトラヒック履歴情報に基づいて、基地局３Ｂの接続切替前の所定時間帯における交換局側設備２Ａのトラヒック量を示す第３トラヒック量を特定する。また、特定部１２１は、交換局側設備２Ａから取得したトラヒック履歴情報に基づいて、基地局３Ｂの接続切替前の所定時間帯における基地局３Ｂのトラヒック量を示す第１トラヒック量を特定する。所定時間帯は、例えば、トラヒック量が多い日中の時間帯である。
【００３３】
同様に、特定部１２１は、基地局３Ｂの接続切替後の接続先である交換局側設備２Ｂから、基地局３Ｃ及び基地局３Ｄとのトラヒック量を示すトラヒック履歴情報を取得する。そして、特定部１２１は、交換局側設備２Ｂから取得したトラヒック履歴情報に基づいて、基地局３Ｂの接続切替前の所定時間帯における交換局側設備２Ｂのトラヒック量を示す第２トラヒック量を特定する。
【００３４】
なお、特定部１２１は、各基地局３のトラヒック量を個別に取得してもよい。そして、特定部１２１は、個別に取得した基地局３のトラヒック量に基づいて第２トラヒック量を特定してもよい。例えば、基地局３の接続切替後の接続先となる交換局側設備２に接続されている複数の基地局３のトラヒック量を合計することにより、第２トラヒック量を特定してもよい。
【００３５】
［接続切替後のトラヒック量の予測］
予測部１２２は、切替対象の基地局３の接続切替後のトラヒック量を予測する。予測部１２２は、特定部１２１が特定した第１トラヒック量及び第２トラヒック量に基づいて、接続先設備である交換局側設備２における接続切替後の単位時間におけるトラヒック量を予測する。具体的には、予測部１２２は、特定部１２１が特定した第１トラヒック量と、第２トラヒック量とを加算することにより、接続先設備における接続切替後の所定時間帯におけるトラヒック量を予測する。
【００３６】
また、予測部１２２は、特定部１２１が特定した第１トラヒック量及び第３トラヒック量に基づいて、切替前設備である交換局側設備２における接続切替後の単位時間におけるトラヒック量を予測する。具体的には、予測部１２２は、特定部１２１が特定した第３トラヒック量から、第１トラヒック量とを減算することにより、切替前設備における接続切替後の所定時間帯におけるトラヒック量を予測する。
【００３７】
なお、特定部１２１が各基地局３のトラヒック量を個別に取得した場合、予測部１２２は、個別に取得された基地局３のトラヒック量に基づいて、接続先設備である交換局側設備２における接続切替後の単位時間におけるトラヒック量を予測してもよい。予測部１２２は、基地局３の接続切替後の接続先となる交換局側設備２に接続されている複数の基地局３のトラヒック量と、切替対象の基地局３のトラヒック量とを合計することにより、接続先設備である交換局側設備２における接続切替後の単位時間におけるトラヒック量を予測してもよい。
以下の説明では、予測部１２２が予測したトラヒック量を、予測トラヒック量ともいう。
【００３８】
［切替対象の基地局３の周辺の施設の運営状況を考慮したトラヒック量の予測］
ここで、予測部１２２は、特定部１２１が特定したトラヒック量と、切替対象の基地局３の周辺の施設の運営状況とに基づいて、トラヒック量を予測してもよい。例えば、予測部１２２は、特定部１２１が特定した第１トラヒック量及び第２トラヒック量と、切替対象の基地局３の周辺の施設の運営状況とに基づいて、接続先設備における接続切替後のトラヒック量を予測してもよい。
【００３９】
この場合、予測部１２２は、警告出力装置１と通信可能に接続された端末（不図示）から、複数の日時のそれぞれにおける切替対象の基地局３の周辺の施設の運営状況を示す情報を取得する。ここで、周辺の施設は、大学や大規模商業施設等の、運営状況の変化に応じてトラヒック量が大きく変化する施設である。予測部１２２は、接続切替後のトラヒック量の予測期間における、切替対象の基地局３の周辺の施設の運営状況を特定する。予測部１２２は、特定部１２１に、特定した運営状況と同じ運営状況であるときの、接続切替前の第１トラヒック量及び第２トラヒック量を特定させる。そして、予測部１２２は、特定された第１トラヒック量と、第２トラヒック量とを加算することにより、接続先設備における接続切替後の所定時間帯におけるトラヒック量を予測する。
【００４０】
なお、予測部１２２は、切替対象の基地局３の周辺の施設の運営状況と、トラヒック量との関係を特定してもよい。この場合、予測部１２２は、周辺の施設が店舗である場合、当該店舗が開店している場合におけるトラヒック量と、当該店舗が閉店している場合におけるトラヒック量との変化割合を特定する。
【００４１】
そして、予測部１２２は、特定部１２１が第１トラヒック量及び第２トラヒック量を特定したときの施設の運営状況と、接続切替後のトラヒック量の予測期間における施設の運営状況と、施設の運営状況とトラヒック量との関係とに基づいて、予測したトラヒック量を調整してもよい。
【００４２】
［曜日を考慮したトラヒック量の予測］
予測部１２２は、特定部１２１が特定したトラヒック量と、トラヒック量の予測期間に対応する曜日とに基づいて、トラヒック量を予測してもよい。例えば、予測部１２２は、特定部１２１が特定した第１トラヒック量及び第２トラヒック量と、トラヒック量の予測期間に対応する曜日とに基づいて、接続先設備における接続切替後のトラヒック量を予測してもよい。
【００４３】
予測部１２２は、曜日と、トラヒック量との関係を特定する。そして、予測部１２２は、特定部１２１が第１トラヒック量及び第２トラヒック量を特定したときの曜日と、接続切替後のトラヒック量の予測期間に対応する曜日と、曜日とトラヒック量との関係とに基づいて、予測したトラヒック量を調整する。
【００４４】
例えば、第１トラヒック量及び第２トラヒック量を特定したときの曜日のトラヒック量に対して、接続切替後のトラヒック量の予測期間に対応する曜日のトラヒック量が１．５倍である場合、予測部１２２は、予測したトラヒック量を１．５倍することにより、当該トラヒック量を調整する。
【００４５】
なお、予測部１２２は、接続切替後のトラヒック量の予測期間に対応する曜日を特定し、特定部１２１に、特定した曜日と同じ曜日であるときの、接続切替前の第１トラヒック量及び第２トラヒック量を特定させてもよい。そして、予測部１２２は、特定された第１トラヒック量と、第２トラヒック量とを加算することにより、接続先設備における接続切替後の所定時間帯におけるトラヒック量を予測してもよい。
【００４６】
［休日、祝日、イベント発生日を考慮したトラヒック量の予測］
予測部１２２は、特定部１２１が特定したトラヒック量と、暦上の休日及び祝日又は所定イベントの発生日とトラヒック量の予測期間との関係とに基づいて、トラヒック量を予測してもよい。例えば、予測部１２２は、特定部１２１が特定した第１トラヒック量及び第２トラヒック量と、暦上の休日及び祝日又は所定イベントの発生日とトラヒック量の予測期間との関係に基づいて、接続先設備における接続切替後のトラヒック量を予測してもよい。
【００４７】
この場合、予測部１２２は、接続切替後のトラヒック量の予測期間が、暦上の休日又は祝日であるか否かを判定するとともに、特定部１２１が第１トラヒック量及び第２トラヒック量を特定した期間が、暦上の休日又は祝日であるか否かを判定する。ここで、所定イベントは、トラヒック量の変動要因となるイベントであり、例えば、ハロウィンやクリスマスである。
【００４８】
予測部１２２は、接続切替後のトラヒック量の予測期間が所定イベントの発生日であり、第１トラヒック量及び第２トラヒック量を特定した期間が所定イベントの発生日ではない場合、特定部１２１に、所定イベントの発生日であるときの接続切替前の第１トラヒック量及び第２トラヒック量を特定させる。そして、予測部１２２は、特定された第１トラヒック量と、第２トラヒック量とを加算することにより、接続先設備における接続切替後の所定時間帯におけるトラヒック量を予測する。
【００４９】
また、予測部１２２は、接続切替後のトラヒック量の予測期間が所定イベントの発生日ではなく、第１トラヒック量及び第２トラヒック量を特定した期間が所定イベントの発生日である場合、特定部１２１に、所定イベントの発生日ではないときの接続切替前の第１トラヒック量及び第２トラヒック量を特定させる。そして、予測部１２２は、特定された第１トラヒック量と、第２トラヒック量とを加算することにより、接続先設備における接続切替後の所定時間帯におけるトラヒック量を予測する。
【００５０】
なお、所定イベントは、予め定められているイベントに限らず、地震や電車の人身事故のように突発的なイベントであってもよい。この場合、予測部１２２は、基地局３の切替の開始直前（例えば、１０分前）から、突発的なイベントに関する情報が掲載される一以上のウェブページ等に所定時間（例えば、３０秒）おきにアクセスし、突発的なイベントが発生していないか否かを判定する。予測部１２２は、突発的なイベントが発生したと判定した場合、当該イベントの影響度を特定し、当該影響度に基づいて予測トラヒック量を修正する。ここで、イベントの影響度は、過去に発生した突発的なイベントと、当該イベントの発生時におけるトラヒックの変化量に基づいて定められていてもよい。
【００５１】
このように、警告出力装置１は、接続切替後のトラヒック量の予測期間に対応する日がどのような日であるかに基づいてトラヒック量の予測方法を変えるので、接続先設備における接続切替後のトラヒック量を精度良く予測することができる。
【００５２】
［接続切替後のトラヒック量の測定］
測定部１２３は、接続先設備である交換局側設備２の、基地局３の接続切替後の単位時間におけるトラヒック量を測定するとともに、切替前設備である交換局側設備２の、基地局３の接続切替後の単位時間におけるトラヒック量を測定する。
【００５３】
例えば、測定部１２３は、基地局３の切替作業が完了した後に、警告出力装置１と通信可能に接続された端末から、トラヒック量の測定指示を受け付ける。測定部１２３は、接続先設備である交換局側設備２から、所定時間おきに基地局３の接続切替後のトラヒック履歴情報を取得するとともに、切替前設備である交換局側設備２から、所定時間おきに基地局３の接続切替後のトラヒック履歴情報を取得する。そして、測定部１２３は、取得したトラヒック履歴情報に基づいて、接続先設備である交換局側設備２と、切替前設備である交換局側設備２とのそれぞれの、接続切替後の所定時間帯におけるトラヒック量を測定する。
以下の説明では、測定部１２３が測定したトラヒック量を、測定トラヒック量ともいう。
【００５４】
［警告情報の出力］
出力部１２４は、予測部１２２が予測したトラヒック量と、測定部１２３が測定したトラヒック量とに基づいて、接続切替に係る作業が正常に行われていないことを示す警告情報を出力する。出力部１２４は、例えば、警告出力装置１と通信可能に接続された端末や、警告出力装置１に設けられる表示部（不図示）に警告情報を出力する。
【００５５】
まず、出力部１２４は、基地局３の接続切替が完了してから所定時間を経過する前に測定部１２３が測定した接続先設備である交換局側設備２のトラヒック量が、想定されるトラヒック量に比べて著しく少ないトラヒック量を示す第２の量以下の場合に、警告情報を出力する。
【００５６】
また、予測部１２２が予測したトラヒック量と、測定部１２３が測定したトラヒック量との差に基づいて警告情報を出力する。
【００５７】
具体的には、出力部１２４は、接続先設備である交換局側設備２における、接続切替後の所定時間帯の予測トラヒック量と、接続切替後の所定時間帯の測定トラヒック量との差が第１の量以上である場合に、警告情報を出力する。
【００５８】
また、出力部１２４は、切替前設備である交換局側設備２における、接続切替後の所定時間帯の予測トラヒック量と、接続切替後の所定時間帯の測定トラヒック量との差が第３の量以上である場合に、警告情報を出力する。このようにすることで、警告出力装置１は、切替前設備である交換局側設備２におけるトラヒック量の変化状況に基づいても、接続切替に係る作業が正常に行われていないことを示す警告情報を出力することができる。
【００５９】
ここで、第２の量は、予測部１２２が予測した、基地局３の接続切替後の接続先設備である交換局側設備２のトラヒック量から、第１の量を減算したトラヒック量よりも少ない量である。また、第２の量は、予測部１２２が予測した、基地局３の接続切替後の切替前設備である交換局側設備２のトラヒック量から、第３の量を減算したトラヒック量よりも少ない量である。
【００６０】
なお、出力部１２４は、基地局３の接続切替が完了してから所定時間を経過した後に、予測部１２２が予測したトラヒック量と、測定部１２３が測定したトラヒック量との差に基づいて警告情報を出力してもよい。例えば、接続切替を行った後、基地局３と、接続先設備である交換局側設備２との通信が正常に行われるまでに時間がかかることがある。これに対して、警告出力装置１は、基地局３の接続切替が完了してから所定時間を経過した後に、予測トラヒック量と、測定トラヒック量との差分に基づいて警告情報を出力する。したがって、警告出力装置１は、通信が正常に行われる可能性が高い状態において、接続切替に係る作業が正常に行われているか否かを判定することができる。
【００６１】
［警告出力装置１における処理の流れ］
続いて、警告出力装置１における処理の流れについて説明する。図３は、第１実施形態に係る警告出力装置１における処理の流れを示すフローチャートである。
【００６２】
まず、特定部１２１は、基地局３の接続切替前のトラヒック量である、第１トラヒック量、第２トラヒック量、及び第３トラヒック量を特定する（Ｓ１）。
続いて、予測部１２２は、Ｓ１において特定された接続切替前のトラヒック量に基づいて、切替対象の基地局３の接続切替後のトラヒック量を予測する（Ｓ２）。
【００６３】
続いて、測定部１２３は、警告出力装置１と通信可能に接続された端末から、トラヒック量の測定指示を受け付けたか否かを判定する（Ｓ３）。測定部１２３は、トラヒック量の測定指示を受け付けたと判定するとＳ４に処理を移し、トラヒック量の測定指示を受け付けていないと判定するとＳ３を再実行する。
【００６４】
続いて、測定部１２３は、切替対象の基地局３の接続切替後のトラヒック量を測定する（Ｓ４）。
続いて、出力部１２４は、接続切替が行われてから第１時間が経過したか否かを判定する（Ｓ５）。ここで、第１時間は、例えば、３０秒である。出力部１２４は、接続切替が行われてから第１時間が経過したと判定すると、Ｓ８に処理を移し、第１時間が経過していないと判定すると、Ｓ６に処理を移す。
【００６５】
出力部１２４は、接続先設備である交換局側設備２における所定時間帯の測定トラヒック量が、想定されるトラヒック量に比べて著しく少ないトラヒック量を示す第２の量以下であるか否かを判定する（Ｓ６）。出力部１２４は、測定トラヒック量が第２の量以下であると判定すると、Ｓ７に処理を移す。出力部１２４は、Ｓ７において警告情報を出力し、その後、Ｓ１１に処理を移す。出力部１２４は、測定トラヒック量が第２の量以上であると判定すると、Ｓ８に処理を移す。
【００６６】
続いて、出力部１２４は、接続切替が行われてから第２時間が経過したか否かを判定する（Ｓ８）。ここで、第２時間は、第１時間よりも長い時間であり、例えば、１時間である。出力部１２４は、接続切替が行われてから第２時間が経過したと判定すると、Ｓ９に処理を移し、第２時間が経過していないと判定すると、Ｓ４に処理を移す。
【００６７】
続いて、出力部１２４は、接続先設備である交換局側設備２における予測トラヒック量と、測定トラヒック量との差分が第１の量以上であるか否かを判定する（Ｓ９）。出力部１２４は、差分が第１の量以上であると判定すると、Ｓ７に処理を移し、警告情報を出力する。出力部１２４は、差分が第１の量未満であると判定すると、Ｓ１０に処理を移す。
【００６８】
続いて、出力部１２４は、切替前設備である交換局側設備２における予測トラヒック量と、測定トラヒック量との差分が第３の量以上であるか否かを判定する（Ｓ１０）。出力部１２４は、差分が第３の量以上であると判定すると、Ｓ７に処理を移し、警告情報を出力する。出力部１２４は、差分が第３の量未満であると判定すると、Ｓ１１に処理を移す。
【００６９】
続いて、出力部１２４は、接続切替が行われてから第３時間が経過したか否かを判定する（Ｓ１１）。ここで、第３時間は、第２時間よりも長い時間であり、例えば、１週間である。出力部１２４は、接続切替が行われてから第３時間が経過したと判定すると、本フローチャートに係る処理を終了し、第３時間が経過していないと判定すると、Ｓ４に処理を移す。
【００７０】
なお、本フローチャートでは、特定部１２１によるトラヒック量の特定と、予測部１２２によるトラヒック量の予測とを、基地局３の接続切替前に行ったが、これに限らない。特定部１２１によるトラヒック量の特定と、予測部１２２によるトラヒック量の予測とは、出力部１２４が、予測トラヒック量と測定トラヒック量との比較を行う前であれば、任意のタイミングで行われてもよい。
【００７１】
［第１実施形態における効果］
以上の通り、第１実施形態に係る警告出力装置１は、切替対象の基地局３の、接続切替前のトラヒック量を示す第１トラヒック量と、当該基地局３の接続切替後の接続先となる接続先設備の接続切替前のトラヒック量を示す第２トラヒック量とに基づいて、接続先設備における接続切替後のトラヒック量を予測する。そして、警告出力装置１は、予測したトラヒック量と、接続切替後に測定された接続先設備におけるトラヒック量との差が第１の量以上である場合に、接続切替に係る作業が正常に行われていないことを示す警告情報を出力する。このようにすることで、警告出力装置１は、接続切替前後のトラヒック量の変化に基づいて、接続切替に係る設定作業に問題があることを効率的に特定することができる。
【００７２】
また、警告出力装置１は、接続切替後の所定時間帯の予測トラヒック量と、接続切替後の所定時間帯の測定トラヒック量との差が第１の量以上である場合に、警告情報を出力する。このように、警告出力装置１は、トラヒック量が類似する可能性が高い同じ時間帯において、予測トラヒック量と、測定トラヒック量との比較を行うことにより、接続切替に係る作業が正常に行われているか否かを精度良く判定することができる。
【００７３】
＜第２実施形態＞
［切替対象の基地局３のトラヒック量のみに基づいて警告を出力する］
続いて、第２実施形態について説明する。第１実施形態に係る警告出力装置１は、接続先設備における接続切替後の予測トラヒック量と、測定トラヒック量との差に基づいて警告情報を出力した。これに対して、第２実施形態に係る警告出力装置１は、切替対象の基地局３の、接続切替の前後のトラヒック量のみに基づいて警告を出力する。以下に、第２実施形態に係る警告出力装置１について説明する。なお、第１実施形態と同じ部分については適宜説明を省略する。
【００７４】
図４は、第２実施形態に係る警告出力装置１の構成を示す図である。図４に示すように、第２実施形態に係る警告出力装置１は、第１実施形態に係る予測部１２２を備えていない点で第１実施形態と異なる。
【００７５】
第２実施形態に係る特定部１２１は、切替対象の基地局３の、接続切替前の単位時間におけるトラヒック量を特定する。
第２実施形態に係る測定部１２３は、切替対象の基地局３の、接続切替後の単位時間におけるトラヒック量を測定する。具体的には、測定部１２３は、接続先設備である交換局側設備２から、所定時間おきに基地局３の接続切替後のトラヒック履歴情報を取得する。そして、測定部１２３は、取得したトラヒック履歴情報に基づいて、接続先設備である交換局側設備２と、切替対象の基地局３とのトラヒック量を特定することにより、当該基地局３のトラヒック量を測定する。
【００７６】
第２実施形態に係る出力部１２４は、特定部１２１が特定した切替対象の基地局３の接続切替前のトラヒック量と、測定部１２３が測定した切替対象の基地局３の接続切替後のトラヒック量との差が所定量以上である場合に、接続切替に係る作業が正常に行われていないことを示す警告情報を出力する。
【００７７】
［第２実施形態における効果］
以上説明したように、第２実施形態に係る警告出力装置１は、特定部１２１が特定した切替対象の基地局３の接続切替前のトラヒック量と、測定部１２３が測定した切替対象の基地局３の接続切替後のトラヒック量との差が所定量以上である場合に、接続切替に係る作業が正常に行われていないことを示す警告情報を出力する。このようにすることで、第２実施形態に係る警告出力装置１は、第１実施形態に係る警告出力装置１と同様に、接続切替に係る設定作業に問題があることを効率的に特定することができる。
【００７８】
以上、本発明を実施形態を用いて説明したが、本発明の技術的範囲は上記実施形態に記載の範囲には限定されない。上記実施形態に、多様な変更又は改良を加えることが可能であることが当業者に明らかである。また、特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【符号の説明】
【００７９】
１・・・警告出力装置、１１・・・記憶部、１２・・・制御部、１２１・・・特定部、１２２・・・予測部、１２３・・・測定部、１２４・・・出力部、２・・・交換局側設備、３・・・基地局
【図１】
2019145898.tif 000003
【図２】
2019145898.tif 000004
【図３】
2019145898.tif 000005
【図４】
2019145898.tif 000006